(57)【要約】【構成】ＣＰＵ３８は、圧縮画像データをハードディスク３４に記録し、ハードディスク３４に記録された圧縮画像データを再生する。また、ハードディスク３４の周辺温度を繰り返し測定し、測定された温度が６０℃を上回るとき再生動作を禁止する。さらに、測定された温度が６４℃を上回るとき圧縮率を増大し、そして、測定された温度が６７℃を上回るとき記録周期を延長する。【効果】継続的な記録動作が確保される。【選択図】図１
2008146733.tif 000002
【特許請求の範囲】
【請求項１】
コンテンツデータをディスク媒体に記録する記録手段、
前記ディスク媒体に記録されたコンテンツデータを再生する再生手段、
前記ディスク媒体の周辺温度を繰り返し測定する測定手段、
前記測定手段によって測定された温度が第１閾値を上回るとき前記再生手段の再生動作を禁止する禁止手段、および
前記測定手段によって測定された温度が前記第１閾値よりも高い第２閾値を上回るとき前記記録手段による単位時間あたりの記録データ量を抑制する抑制手段を備える、記録再生装置。
【請求項２】
前記記録手段によって記録すべきコンテンツデータを圧縮する圧縮手段をさらに備え、
前記抑制手段は前記圧縮手段の圧縮率を高くする圧縮率変更手段を含む、請求項１記載の記録再生装置。
【請求項３】
前記記録手段によって記録すべきコンテンツデータは画像データを含み、
前記抑制手段は前記画像データの取込周期を延長する延長手段を含む、請求項１記載のまたは２記録再生装置。
【請求項４】
前記測定手段によって測定された温度が前記第１閾値よりも低い第３閾値を下回るとき前記再生手段を強制的に起動する起動手段をさらに備える、請求項１ないし３のいずれかに記載の記録再生装置。
【請求項５】
前記再生手段の再生処理は前記ディスク媒体からコンテンツデータを読み出す読み出し処理と読み出されたコンテンツデータを処理するデータ処理とを含み、
前記再生手段は前記起動手段によって起動されたとき前記データ処理の少なくとも一部を省略する、請求項４記載の記録再生装置。
【請求項６】
記録再生装置のプロセッサに、
コンテンツデータをディスク媒体に記録する記録ステップ、
前記ディスク媒体に記録されたコンテンツデータを再生する再生ステップ、
前記ディスク媒体の周辺温度を繰り返し測定する測定ステップ、
前記測定ステップによって測定された温度が第１閾値を上回るとき前記再生ステップの再生動作を禁止する禁止ステップ、および
前記測定ステップによって測定された温度が前記第１閾値よりも高い第２閾値を上回るとき前記記録ステップによる単位時間あたりの記録データ量を抑制する抑制ステップを実行させるための、制御プログラム。
【請求項７】
記録再生装置の制御方法であって、
コンテンツデータをディスク媒体に記録する記録ステップ、
前記ディスク媒体に記録されたコンテンツデータを再生する再生ステップ、
前記ディスク媒体の周辺温度を繰り返し測定する測定ステップ、
前記測定ステップによって測定された温度が第１閾値を上回るとき前記再生ステップの再生動作を禁止する禁止ステップ、および
前記測定ステップによって測定された温度が前記第１閾値よりも高い第２閾値を上回るとき前記記録ステップによる単位時間あたりの記録データ量を抑制する抑制ステップを備える、制御方法。
【発明の詳細な説明】
【技術分野】
【０００１】
この発明は、記録再生装置に関し、特にたとえばディスク媒体に対するコンテンツデータの記録／再生を行う、記録再生装置に関する。
【背景技術】
【０００２】
この種の装置の一例が、特許文献１に開示されている。特許文献１によれば、装置内の温度は温度センサによって検知される。検知された温度が予め設定された温度を超える状態が予め設定された時間にわたって継続すると、光ディスクの再生動作が停止される。
【特許文献１】特開平８−２７３２８５号公報［G11B 19/04, 33/14］
【発明の開示】
【発明が解決しようとする課題】
【０００３】
しかし、特許文献１は、継続的な再生動作を確保するための方策については開示するものの、継続的な記録動作を確保する方策については何ら開示していない。
【０００４】
それゆえに、この発明の主たる目的は、継続的な記録動作の確保をすることができる、記録再生装置を提供することである。
【課題を解決するための手段】
【０００５】
請求項１の発明に従う記録再生装置(10：実施例で相当する参照符号。以下同じ)は、コンテンツデータをディスク媒体(34)に記録する記録手段(S45, S57)、ディスク媒体に記録されたコンテンツデータを再生する再生手段(S69, S77, S89)、ディスク媒体の周辺温度を繰り返し測定する測定手段(S3)、測定手段によって測定された温度が第１閾値を上回るとき再生手段の再生動作を禁止する禁止手段(S17)、および測定手段によって測定された温度が第１閾値よりも高い第２閾値を上回るとき記録手段による単位時間あたりの記録データ量を抑制する抑制手段(S23, S29)を備える。
【０００６】
コンテンツデータは、記録手段によってディスク媒体に記録される。ディスク媒体に記録されたコンテンツデータは、再生手段によって再生される。ディスク媒体の周辺温度は、測定手段によって繰り返し測定される。測定手段によって測定された温度が第１閾値を上回ると、再生手段の再生動作が禁止手段によって禁止される。測定手段によって測定された温度が第１閾値よりも高い第２閾値を上回ると、記録手段による単位時間あたりの記録データ量が抑制手段によって抑制される。
【０００７】
再生動作の禁止によって、ディスク媒体の温度を上昇させる要因の１つがなくなる。また、単位時間あたりの記録データ量の抑制によって、ディスク媒体の温度の上昇率が抑えられる。これによって、継続的な記録動作が確保される。
【０００８】
請求項２の発明に従う記録再生装置は、請求項１に従属し、記録手段によって記録すべきコンテンツデータを圧縮する圧縮手段(30)をさらに備え、抑制手段は圧縮手段の圧縮率を高くする圧縮率変更手段(S23)を含む。
【０００９】
コンテンツデータは、圧縮手段によって圧縮された後、記録手段によって記録される。記録手段による単位時間あたりの記録データ量は、圧縮率変更手段が圧縮手段の圧縮率を高く変更することで抑制される。
【００１０】
請求項３の発明に従う記録再生装置は、請求項１または２に従属し、記録手段によって記録すべきコンテンツデータは画像データを含み、抑制手段は画像データの取込周期を延長する延長手段(S29)を含む。
【００１１】
コンテンツデータには画像データが含まれており、記録手段による単位時間あたりの記録データ量は、延長手段が画像データの取込周期を延長することで抑制される。
【００１２】
請求項４の発明に従う記録再生装置は、請求項１ないし３のいずれかに従属し、測定手段によって測定された温度が第１閾値よりも低い第３閾値を下回るとき再生手段を強制的に起動する起動手段(S13)をさらに備える。
【００１３】
再生手段は、ディスク媒体の周辺温度が第１閾値以下であれば再生開始操作に応じて起動されるが、周辺温度が第１閾値よりも低い第３閾値を下回ると起動手段によって強制的に起動される。
【００１４】
ディスク媒体の温度が低過ぎても記録手段の記録動作に支障が出る。再生手段の再生処理はディスク媒体からコンテンツデータを読み出す読み出し処理と読み出されたコンテンツデータを処理するデータ処理とを含むようなとき再生手段を強制起動して温度を上昇させることで、低温でも継続的な記録動作が確保される。
【００１５】
請求項５の発明に従う記録再生装置は、請求項４に従属し、再生手段の再生処理はディスク媒体からコンテンツデータを読み出す読み出し処理と読み出されたコンテンツデータを処理するデータ処理とを含み、再生手段は起動手段によって起動されたときデータ処理の少なくとも一部を省略する。
【００１６】
データ処理の温度上昇への寄与は読み出し処理のそれに比べて小さく、また強制起動時にデータ処理を実行する必要もない。そこで、強制起動時には、データ処理の少なくとも一部を省略することで、再生手段の消費電力を抑えることができる。
【００１７】
請求項６の発明に従う制御プログラムは、記録再生装置(10)のプロセッサに、コンテンツデータをディスク媒体(34)に記録する記録ステップ(S45, S57)、ディスク媒体に記録されたコンテンツデータを再生する再生ステップ(S69, S77, S89)、ディスク媒体の周辺温度を繰り返し測定する測定ステップ(S3)、測定ステップによって測定された温度が第１閾値を上回るとき再生ステップの再生動作を禁止する禁止ステップ(S17)、および測定ステップによって測定された温度が第１閾値よりも高い第２閾値を上回るとき記録ステップによる単位時間あたりの記録データ量を抑制する抑制ステップ(S23, S29)を実行させる。
【００１８】
請求項７の発明に従う制御方法は、記録再生装置(10)の制御方法であって、コンテンツデータをディスク媒体(34)に記録する記録ステップ(S45, S57)、ディスク媒体に記録されたコンテンツデータを再生する再生ステップ(S69, S77, S89)、ディスク媒体の周辺温度を繰り返し測定する測定ステップ(S3)、
測定ステップによって測定された温度が第１閾値を上回るとき再生ステップの再生動作を禁止する禁止ステップ(S17)、および測定ステップによって測定された温度が第１閾値よりも高い第２閾値を上回るとき記録ステップによる単位時間あたりの記録データ量を抑制する抑制ステップ(S23, S29)を備える。
【００１９】
請求項６，７の発明でも、請求項１の発明と同様に、継続的な記録動作が確保される。
【発明の効果】
【００２０】
この発明によれば、再生動作の禁止によって、ディスク媒体の温度を上昇させる要因の１つがなくなる。また、単位時間あたりの記録データ量の抑制によって、ディスク媒体の温度の上昇率が抑えられる。これによって、継続的な記録動作が確保される。
【００２１】
この発明の上述の目的，その他の目的，特徴および利点は、図面を参照して行う以下の実施例の詳細な説明から一層明らかとなろう。
【発明を実施するための最良の形態】
【００２２】
図１を参照して、この実施例のディジタルビデオカメラ１０は、光学レンズ１２を含む。被写界を表す光学像は、光学レンズ１２を通してイメージセンサ１４の撮像面に照射される。撮像面では、被写界を表す電荷が光電変換によって生成される。
【００２３】
キー入力装置４０によって記録開始操作が行われると、ＣＰＵ３８は、記録動作を開始するべく、露光処理および電荷読み出し処理の繰り返しをドライバ１６に命令し、圧縮／伸長回路３０に圧縮処理を命令し、ＨＤＤ３２に記録処理を命令する。ドライバ１６に向けられた処理命令には周期情報が記述され、圧縮／伸長回路３０に向けられた圧縮処理命令には圧縮率情報が記述される。
【００２４】
ドライバ１６は、処理命令に記述された周期情報に従う周期で撮像面を露光し、かつこれによって生成された電荷を読み出す。こうして、被写界を表す各フレームの生画像信号が、周期情報に従う周期でイメージセンサ１４から出力される。
【００２５】
ＣＤＳ／ＡＧＣ／ＡＤ回路１８は、出力された生画像信号に相関二重サンプリング，自動ゲイン調整およびＡ／Ｄ変換の一連の処理を施し、これによって生成された生画像データを信号処理回路２０に与える。信号処理回路２０は、与えられた生画像データに色分離，白バランス調整，ＹＵＶ変換などの処理を施し、ＹＵＶ形式の画像データをメモリ制御回路２２を通してＳＤＲＡＭ２４に書き込む。
【００２６】
圧縮／伸長回路３０は、ＳＤＲＡＭ２４に格納された画像データをメモリ制御回路２２を通して読み出し、読み出された画像データにＪＰＥＧ圧縮を施す。画像データは圧縮処理命令に記述された圧縮率で圧縮され、圧縮画像データはメモリ制御回路２２を通してＳＤＲＡＭ２４に書き込まれる。ＨＤＤ３２は、ＳＤＲＡＭ２４に格納された圧縮画像データをメモリ制御回路２２を通して読み出し、読み出された圧縮画像データを含む新規の画像ファイルをハードディスク３４上に作成する。
【００２７】
キー入力装置４０によって記録終了操作が行われると、ＣＰＵ３８は、記録動作を終了するべく、ドライバ１６，圧縮／伸長回路３０およびＨＤＤ３２に処理の停止を命令する。ドライバ１６は露光処理および電荷読み出し処理を速やかに停止し、圧縮／伸長回路３０はＳＤＲＡＭ２４に残存する画像データが全て圧縮された後に圧縮処理を停止する。また、ＨＤＤ３２は、ＳＤＲＡＭ２４に残存する圧縮画像データが全てハードディスク３４に記録された後に、画像ファイルをクローズして記録処理を停止する。
【００２８】
このような記録動作（または後述する再生動作）の実行中、ハードディスク３４へのデータ書き込み（またはハードディスク３４からのデータ読み出し）に伴うシーク動作によって、ハードディスク３４の周辺温度が上昇していく。ＨＤＤ３２には、ハードディスク３４の周辺温度を検知する温度センサ３６が内蔵されている。
【００２９】
なお、後述するように、実行中の記録動作は、温度センサ３６によって検知されるハードディスク３４の周辺温度によって中断され、あるいは再開される。記録動作が中断されたとき、格納先の画像ファイルはオープン状態を維持する。また、ドライバ１６に向けられた処理命令に記述される周期情報、あるいは圧縮／伸長回路３０に向けられた圧縮処理命令に記述される圧縮率情報は、ハードディスク３４の周辺温度によって変更される。
【００３０】
キー入力装置４０によって再生開始操作が行われると、ＣＰＵ３８は、再生動作を実行するべく、再生処理をＨＤＤ３２に命令し、伸長処理を圧縮／伸長回路３０に命令し、そしてエンコード処理をビデオエンコーダ２６に命令する。ＨＤＤ３２は、所望の画像ファイルに格納された圧縮画像データをハードディスク３４から読み出し、読み出された圧縮画像データをメモリ制御回路２２を通してＳＤＲＡＭ２４に書き込む。
【００３１】
圧縮／伸長回路３０は、ＳＤＲＡＭ２４に格納された圧縮画像データをメモリ制御回路２２を通して読み出し、読み出された圧縮画像データにＪＰＥＧ伸長を施す。伸長された画像データは、メモリ制御回路２２を通してＳＤＲＡＭ２４に書き込まれる。ビデオエンコーダ２６は、ＳＤＲＡＭ２４に格納された画像データをメモリ制御回路２２を通して読み出し、読み出された画像データをコンポジットビデオ信号に変換し、そして変換されたコンポジットビデオ信号を表示装置２８に与える。この結果、再生画像が表示装置２８から出力される。
【００３２】
なお、後述するように、実行中の再生動作は、温度センサ３６によって検知されるハードディスク３４の周辺温度によって中断され、あるいは再開される。再生動作が中断されたとき、格納先の画像ファイルはオープン状態を維持する。また、再生動作は、ハードディスク３４の周辺温度によって強制される。ただし、強制的な再生動作では、ＨＤＤ３２が再生処理を命令されるに留まり、圧縮／伸長回路３０が伸長処理を命令されることはなく、ビデオエンコーダ２６がエンコード処理を命令されることもない。
【００３３】
ＣＰＵ３８は、図２〜図３に示すアクセス制御タスク，図４に示す記録タスクおよび図５に示す再生タスクを含む複数のタスクを並列的に実行する。なお、これらのタスクに対応する制御プログラムは、フラッシュメモリ４２に記憶される。
【００３４】
図２を参照して、ステップＳ１では検知タイミングが到来したか否かを判別する。検知タイミングはたとえば１分毎に到来し、処理は１分毎にステップＳ１からステップＳ３に進む。ステップＳ３では、ハードディスク３４の周辺温度を温度センサ３６から取り込む。具体的には、ＨＤＤ３２にＡＴＡコマンドを発行することで、ＨＤＤ３２から温度センサ３６の温度情報の提供を受ける。ステップＳ５では、取り込まれた周辺温度が５℃未満であるか否かを判別する。
【００３５】
ステップＳ５でＮＯであればステップＳ７で強制的な再生動作（後述）が実行中であるか否かをさらに判別し、ここでもＮＯであればステップＳ１５に進む。ステップＳ７でＹＥＳであれば、ステップＳ９で強制再生フラグをオフした後ステップＳ１５に進む。なお、強制再生フラグは、フラッシュメモリ４２に記憶される。
【００３６】
ステップＳ５でＹＥＳであればステップＳ１１で再生動作（後述）が実行中であるか否かを判別し、ここでＹＥＳであればステップＳ１５に進む。ステップＳ１１でＮＯであれば、ステップＳ１３で強制再生フラグをオンした後ステップＳ１５に進む。
【００３７】
ステップＳ１５では、取り込まれた周辺温度が６０℃を上回るか否かを判別する。ここでＹＥＳであればステップＳ１７で再生動作を禁止した後ステップＳ２１に進み、ＮＯであればステップＳ１９で再生動作を許可した後ステップＳ２１に進む。
【００３８】
図３を参照して、ステップＳ２１では取り込まれた周辺温度が６４℃を上回るか否かを判別する。ここでＹＥＳであればステップＳ２３で圧縮率を増大した後ステップＳ２７に進み、ＮＯであればステップＳ２５で圧縮率を初期化した後ステップＳ２７に進む。なお、圧縮率の増大／初期化は、圧縮／伸長回路３０への圧縮処理命令に記述された圧縮率情報を更新することにより行う。
【００３９】
ステップＳ２７では周辺温度が６７℃を上回るか否かを判別する。ここでＹＥＳであればステップＳ２９で記録周期を延長した後ステップＳ３３に進み、ＮＯであればステップＳ３１で記録周期を初期化した後ステップＳ３３に進む。なお、記録周期の延長／初期化は、ドライバ１６への処理命令に記述された周期情報を更新することにより行う。
【００４０】
ステップＳ３３では周辺温度が７０℃を上回るか否かを判別する。ここでＹＥＳであればステップＳ３５で記録動作を禁止した後ステップＳ１に戻り、ＮＯであればステップＳ３７で記録動作を許可した後ステップＳ１に戻る。
【００４１】
図４を参照して、ステップＳ４１では記録動作が許可されたか否かを判別し、ＮＯであれば所定時間が経過した後に再度判別を行う。ステップＳ４１でＹＥＳであればステップＳ４３に進んで記録開始操作が行われたか否かを判別し、ＮＯであればステップＳ４１に戻る。ステップＳ４３でＹＥＳであれば、ステップＳ４５で記録動作を開始した後ステップＳ４７に進む。
【００４２】
ステップＳ４７では記録終了操作が行われたか否かを判別し、ＹＥＳであればステップＳ４９で記録動作を終了した後ステップＳ４１に戻る。ステップＳ４７でＮＯであれば、まずステップＳ５１で記録動作が禁止されたか否かを判別し、ここでＮＯであればステップＳ５３で記録動作が許可されたか否かをさらに判別し、そしてここでもＮＯであればステップＳ４７に戻る。
【００４３】
ステップＳ５１でＹＥＳであればステップＳ５５で記録動作を中断した後ステップＳ４７に戻り、ステップＳ５３でＹＥＳであればステップＳ５７で記録動作を再開した後ステップＳ４７に戻る。
【００４４】
図５を参照して、ステップＳ６１では再生動作が許可されたか否かを判別し、ＮＯであれば所定時間後に再度判別を行う。ステップＳ６１でＹＥＳであれば、ステップＳ６３に進んで再生開始操作が行われたか否かを判別する。ここでＮＯであればステップＳ６５で、強制再生フラグがオンされたか否かを判別し、ここでもＮＯであればステップＳ６７で、強制再生フラグがオフされたか否かをさらに判別する。強制再生フラグがオンもオフもされなければ、すなわち強制再生フラグが何ら変化しなければ、ステップＳ６５およびＳ６７の各々でＮＯと判別し、ステップＳ６１に戻る。
【００４５】
アクセス制御タスクによって強制再生フラグがオンされるとステップＳ６５でＹＥＳと判別し、ステップＳ６９に移って強制再生動作を開始する。具体的には、再生処理の開始をＨＤＤ３２に命令し、これに応じてＨＤＤ３２が再生処理を開始する。一方、アクセス制御タスクによって強制再生フラグがオフされるとステップＳ６７でＹＥＳと判別し、ステップＳ７１に移って強制再生動作を終了する。具体的には、再生処理の終了をＨＤＤ３２に命令し、これに応じてＨＤＤ３２が再生処理を終了する。開始／終了の後、ステップＳ６１に戻る。
【００４６】
このように、強制的な再生動作では、ＨＤＤ３２による再生処理が実行されるだけで、圧縮／伸長回路３０による伸長処理が実行されることはなく、ビデオエンコーダ２６によるエンコード処理が実行されることもない。伸長処理およびエンコード処理を省略することで、強制再生動作による消費電力を抑えることができる。
【００４７】
ステップＳ６３でＹＥＳであれば、ステップＳ７３で強制的な再生動作が実行中であるか否かをさらに判別し、ここでＮＯであればステップＳ７７に進む。ステップＳ７３でＹＥＳであれば、ステップＳ７５で強制再生動作を終了した後ステップＳ７７に進む。
【００４８】
ステップＳ７７では再生動作を開始し、その後ステップＳ７９で再生終了操作が行われたか否かを判別する。ステップＳ７９でＹＥＳであればステップＳ８１で再生動作を終了した後ステップＳ６１に戻る。
【００４９】
なお、ステップＳ７７／Ｓ８１では、具体的には、再生処理の開始／終了をＨＤＤ３２に命令し、伸長処理の開始／終了を圧縮／伸長回路３０に命令し、そしてエンコード処理の開始／終了をビデオエンコーダ２６に命令する。命令に応じて、ＨＤＤ３２が再生処理を開始／終了し、圧縮／伸長回路３０が伸長処理を開始／終了し、そしてビデオエンコーダ２６がエンコード処理を開始／終了する。
【００５０】
このように、再生動作、つまり強制的でない再生動作では、ＨＤＤ３２による再生処理と共に、圧縮／伸長回路３０の伸長処理およびビデオエンコーダ２６のエンコード処理が実行される。
【００５１】
ステップＳ７９でＮＯであれば、まずステップＳ８３で再生動作が禁止されたか否かを判別し、ここでＮＯであればステップＳ８５で再生動作が許可されたか否かをさらに判別し、そしてここでもＮＯであればステップＳ７９に戻る。
【００５２】
ステップＳ８３でＹＥＳであればステップＳ８７で再生動作を中断した後ステップＳ７９に戻り、ステップＳ８５でＹＥＳであればステップＳ８９で再生動作を再開した後ステップＳ７９に戻る。
【００５３】
この結果、ディジタルビデオカメラ１０の記録／再生動作は、ハードディスク３４の周辺温度に基づいて、図６のように制御される。図６を参照して、記録動作は、温度が７０℃以下のとき許可される。すなわち、７０℃以下で記録開始操作が行われると記録動作が開始され、実行中の記録動作は７０℃を上回ると中断され、そして中断された記録動作は７０℃まで低下すると再開される。
【００５４】
記録動作中、圧縮率は、温度が６４℃を上回ると増大され、６４℃まで低下すれば初期化される。また、記録周期は、温度が６７℃を上回ると延長され、６７℃まで低下すれば初期化される。
【００５５】
一方、再生動作は、温度が６０℃以下のとき許可される。すなわち、６０℃以下で再生開始操作が行われると再生動作が開始され、実行中の再生動作は６０℃を上回ると中断され、そして中断された再生動作は６０℃まで低下すると再開される。
【００５６】
そして、記録動作と再生動作とは、同時に実行することができる。記録動作および再生動作を実行している状態で温度が６０℃を上回ると、再生動作は中断され、記録動作だけが継続される。
【００５７】
強制的な再生動作は、温度が５℃を下回っているとき実行され、５℃に達すると終了される。
【００５８】
従って、たとえば０℃で記録開始操作が行われたとすると、記録動作が開始され、同時に強制的な再生動作も開始される。記録動作と並行して強制再生動作を実行することで、ハードディスク３４の周辺温度は急速に上昇する。強制再生動作は、温度が５℃に達したとき終了される。
【００５９】
記録動作の実行中、たとえば２０℃で再生開始操作が行われると、再生動作が開始される。記録動作と並行して再生動作を実行することで、温度は急上昇する。温度が６０℃を上回ると再生動作は中断され、これにより温度の上昇が抑えられる。
【００６０】
再生動作を中断しても、記録動作の継続によって温度は上昇していく。温度が６４℃を上回ると圧縮率が増大され、これにより単位時間当たりの記録データ量が減少して温度の上昇率は抑制される。温度が６７℃を上回ると記録周期が延長され、これにより単位時間当たりの記録データ量が一層減少して温度の上昇率はさらに抑制される。そして温度が７０℃を上回ると、記録動作も中断される。
【００６１】
以上から明らかなように、この実施例では、ＣＰＵ３８は、コンテンツデータ（圧縮画像データ）をディスク媒体（ハードディスク）３４に記録し（Ｓ４５，Ｓ５７）、ディスク媒体３４に記録されたコンテンツデータを再生する（Ｓ６９，Ｓ７７，Ｓ８９）。また、ディスク媒体３４の周辺温度を繰り返し測定し（Ｓ３）、測定された温度が第１閾値（６０℃）を上回るとき再生動作を禁止する（Ｓ１７）。さらに、測定された温度が第１閾値よりも高い第２閾値（６４℃，６７℃）を上回るとき、圧縮率を増大したり記録周期を延長したりすることで、単位時間あたりの記録データ量を抑制する（Ｓ２３，Ｓ２９）。
【００６２】
再生動作の禁止によって、ディスク媒体３４の温度を上昇させる要因の１つがなくなる。また、単位時間あたりの記録データ量の抑制によって、ディスク媒体３４の温度の上昇率が抑えられる。これによって、継続的な記録動作が確保される。
【００６３】
一方、温度が第１閾値よりも低い第３閾値（５℃）を下回るときには、再生動作を強制的に起動する（Ｓ１３）。これによって温度が上昇し、低温でも継続的な記録動作が確保される。
【００６４】
なお、この実施例では、単位時間あたりの記録データ量を抑制するために、圧縮率の増大（Ｓ２３）と、記録周期の延長（Ｓ２９）とを行ったが、いずれか一方の処理だけを行っても、抑制は実現できる。
【００６５】
また、この実施例では、温度上昇に対して、まず圧縮率を増大し（Ｓ２３）、次いで記録周期を延長したが（Ｓ２９）、これらの順序は逆でもよい。
【００６６】
また、この実施例では、圧縮率を増大するタイミングと、記録周期を延長するタイミングとを互いにずらすことで、単位時間あたりの記録データ量を段階的に抑制しているが、圧縮率を温度上昇に応じて段階的に増大することによっても、あるいは記録周期を温度上昇に応じて段階的に延長することによっても、段階的抑制は実現できる。この場合、圧縮率を増大するタイミングと記録周期を延長するタイミングとは、互いに一致していてもよく、互いにずれていても構わない。
【００６７】
また、この実施例では、温度に関する閾値は固定的であるが、変化してもよい。閾値の設定／変更は、手動または自動で行われる。たとえば、再生動作を禁止／許可するための第１閾値（Ｓ１５参照）について、ユーザがキー入力装置４０を通して所望の値を入力すると、入力された値が第１閾値として設定される。続いて、再生開始操作に応じて再生動作が開始され、後に温度が第１閾値を上回って実行中の再生動作が中断されたとする。ここでもう一度再生開始操作が行われると、ＣＰＵ３８は第１閾値を上昇方向に変更する。この自動変更によって、中断された再生動作は温度低下を待つことなく直ちに再開される。
【００６８】
なお、この実施例では、温度センサ３６はＨＤＤ３２に内蔵されているが、外付けでもよい。
【００６９】
以上では、一例として、ハードディスク３４を用いたディジタルビデオカメラ１０について説明したが、この発明は、読み書きにシーク動作を伴うディスク媒体を用いたコンテンツ記録再生装置に適用できる。
【図面の簡単な説明】
【００７０】
【図１】この発明の一実施例の構成を示すブロック図である。
【図２】図１実施例に適用されるＣＰＵの動作の一部を示すフロー図である。
【図３】図１実施例に適用されるＣＰＵの動作の他の一部を示すフロー図である。
【図４】図１実施例に適用されるＣＰＵの動作のその他の一部を示すフロー図である。
【図５】図１実施例に適用されるＣＰＵの動作のさらにその他の一部を示すフロー図である。
【図６】図１実施例に適用される記録再生制御の温度特性を示す図解図である。
【符号の説明】
【００７１】
１０  …ディジタルビデオカメラ
１４  …イメージセンサ
１６  …ドライバ
３０  …圧縮／伸長回路
３２  …ＨＤＤ
３４  …ハードディスク
３６  …温度センサ
３８  …ＣＰＵ
【図１】
2008146733.tif 000003
【図２】
2008146733.tif 000004
【図３】
2008146733.tif 000005
【図４】
2008146733.tif 000006
【図５】
2008146733.tif 000007
【図６】
2008146733.tif 000008